(57)【要約】【課題】燃料の極微細噴霧が簡単に達成されるようにする。【解決手段】噴霧装置が、複数の噴射開口を備えたマルチファンジェットノズル２３として形成されており、これによって、噴射開口から流出した薄い液膜３０が、液膜複合体を形成しており、該液膜複合体において、個々の液膜３０が、互いに発散して延びているようにした。【選択図】図１
2008064095.tif 000002
【特許請求の範囲】
【請求項１】
内燃機関の燃料噴射装置に用いられる燃料噴射弁であって、弁長手方向軸線（２）と、不動の弁座（２９）を有する弁座体（１６）と、弁座（２９）と協働する、弁長手方向軸線（２）に沿って軸方向に運動可能である弁閉鎖体（７）と、弁座体（１６）に設けられた流出開口（２７）と、弁座（２９）の下流側に配置された噴霧装置とが設けられている形式のものにおいて、噴霧装置が、複数の噴射開口（２５）を備えたマルチファンジェットノズル（２３）として形成されており、これによって、噴射開口（２５）から流出した薄い液膜（３０）が、液膜複合体を形成しており、該液膜複合体において、個々の液膜（３０）が、互いに発散して延びていることを特徴とする、内燃機関の燃料噴射装置に用いられる燃料噴射弁。
【請求項２】
マルチファンジェットノズル（２３）が、ディスク状に形成されている、請求項１記載の燃料噴射弁。
【請求項３】
マルチファンジェットノズル（２３）の中心に対して最も近くに位置する液膜（３０）が、マルチファンジェットノズル（２３）の中心軸線に対して最小の角度αを有しているのに対して、マルチファンジェットノズル（２３）の中心から最も遠くに位置する液膜（３０）が、マルチファンジェットノズル（２３）の中心軸線に対して最大の角度δ，γを有しているように、噴射開口（２５）が寸法設定されており、方向付けられており、かつ／または分配されている、請求項１または２記載の燃料噴射弁。
【請求項４】
液膜（３０）の傾倒量が、マルチファンジェットノズル（２３）の中心から出発して半径方向外向きに連続的に増加している、請求項３記載の燃料噴射弁。
【請求項５】
マルチファンジェットノズル（２３）が、少なくとも噴射開口（２５）の領域で二層に形成されている、請求項１から４までのいずれか１項記載の燃料噴射弁。
【請求項６】
上側の上流側の第１の層に、噴射開口（２５）が、半径方向に延びる開口領域（３５）を有しており、下側の下流側の第２の層に、噴射開口（２５）が、スリット状のそれぞれ１つの流出領域（３６）によって特徴付けられており、該流出領域（３６）が、上側の開口領域（３５）に対してほぼ直角に延びている、請求項５記載の燃料噴射弁。
【請求項７】
スリット状の流出領域（３６）が、開口領域（３５）の幅よりも大きな長さを有している、請求項６記載の燃料噴射弁。
【請求項８】
各噴射開口（２５）の開口領域（３５）と流出領域（３６）とが、正確に規定された量で重なっており、マルチファンジェットノズル（２３）の中心に対して最も近くに位置する噴射開口（２５）が、開口領域（３５）と流出領域（３６）との最大の重なり量を備えているのに対して、マルチファンジェットノズル（２３）の中心から最も遠くに位置する噴射開口（２５）が、開口領域（３５）と流出領域（３６）との最小の重なり量を備えている、請求項６または７記載の燃料噴射弁。
【請求項９】
マルチファンジェットノズル（２３）が、ドーム状に湾曲させられたノズル領域（２８）を有しており、該ノズル領域（２８）に噴射開口（２５）が、スリットの形で加工されており、噴射開口（２５）が、マルチファンジェットノズル（２３）の中心軸線に対してそれぞれ異なる傾きを有している、請求項１から４までのいずれか１項記載の燃料噴射弁。
【請求項１０】
１つの液膜複合体の液膜（３０）の方向発散が大きく、これによって、該液膜（３０）の間の中間室（３７）内に周辺空気が吸込み可能であり、該周辺空気によって、滴への液膜（３０）の崩壊が強化されるようになっている、請求項１から９までのいずれか１項記載の燃料噴射弁。
【請求項１１】
マルチファンジェットノズル（２３）が、弁座体（１６）に固く結合されている、請求項１から１０までのいずれか１項記載の燃料噴射弁。
【発明の詳細な説明】
【技術分野】
【０００１】
本発明は、内燃機関の燃料噴射装置に用いられる燃料噴射弁であって、弁長手方向軸線と、不動の弁座を有する弁座体と、弁座と協働する、弁長手方向軸線に沿って軸方向に運動可能である弁閉鎖体と、弁座体に設けられた流出開口と、弁座の下流側に配置された噴霧装置とが設けられている形式のものに関する。
【背景技術】
【０００２】
ドイツ連邦共和国特許出願公開第１９６３６３９６号明細書に基づき、すでに燃料噴射弁が公知である。この公知の燃料噴射弁では、弁座面の下流側に孔付きディスクが設けられている。この孔付きディスクは多数の噴射開口を有している。有利には１０〜２０個の噴射開口が、孔付きディスクの、弁長手方向軸線に対して垂直に延びる１つのレベルに位置している。噴射開口の大部分は斜めにもしくは傾けられて孔付きディスクに加工されており、これによって、噴射開口の開口軸線が弁長手方向軸線に対して平行性を有していない。噴射開口の傾きはそれぞれ異なる量に選択することができるので、噴射したい個別噴流の拡散が容易に達成可能となる。噴射開口は、たとえばレーザビーム穿孔によって孔付きディスクに十分に一貫したサイズで加工されている。燃料噴射弁は、特に混合気圧縮型の火花点火式の内燃機関の燃料噴射装置のために適している。
【０００３】
ドイツ連邦共和国特許出願公開第１９８４７６２５号明細書に基づき、すでに燃料噴射弁が公知である。この公知の燃料噴射弁では、下流側の端部にスリット状の流出開口が設けられている。この流出開口は孔付きディスクにまたは直接ノズルボディ自体に形成されている。スリット状の流出開口は常に中心に弁長手方向軸線で加工されており、これによって、燃料の噴射が軸線平行に燃料噴射弁から行われる。弁座の上流側には、渦流発生溝が設けられている。この渦流発生溝は、弁座に流れる燃料を円形にねじれ運動させる。平らな流出開口によって、燃料が扇形に噴射されることが生ぜしめられる。
【０００４】
さらにまだ、燃料を内燃機関の燃焼室内に直接噴射するための燃料噴射弁が、米国特許第６０１９２９６号明細書に基づき公知である。この公知の燃料噴射弁では、下流側の端部にスリット状の流出開口が設けられている。この流出開口から、燃料が弁長手方向軸線に対して所定の角度を成して流出することができる。
【特許文献１】ドイツ連邦共和国特許出願公開第１９６３６３９６号明細書
【特許文献２】ドイツ連邦共和国特許出願公開第１９８４７６２５号明細書
【特許文献３】米国特許第６０１９２９６号明細書
【発明の開示】
【発明が解決しようとする課題】
【０００５】
本発明の課題は、冒頭で述べた形式の燃料噴射弁を改良して、燃料の極微細噴霧が簡単に達成されるようにすることである。
【課題を解決するための手段】
【０００６】
この課題を解決するために本発明の構成では、噴霧装置が、複数の噴射開口を備えたマルチファンジェットノズルとして形成されており、これによって、噴射開口から流出した薄い液膜が、液膜複合体を形成しており、該液膜複合体において、個々の液膜が、互いに発散して延びているようにした。
【０００７】
本発明の有利な構成によれば、マルチファンジェットノズルが、ディスク状に形成されている。
【０００８】
本発明の有利な構成によれば、マルチファンジェットノズルの中心に対して最も近くに位置する液膜が、マルチファンジェットノズルの中心軸線に対して最小の角度αを有しているのに対して、マルチファンジェットノズルの中心から最も遠くに位置する液膜が、マルチファンジェットノズルの中心軸線に対して最大の角度δ，γを有しているように、噴射開口が寸法設定されており、方向付けられており、かつ／または分配されている。
【０００９】
本発明の有利な構成によれば、液膜の傾倒量が、マルチファンジェットノズルの中心から出発して半径方向外向きに連続的に増加している。
【００１０】
本発明の有利な構成によれば、マルチファンジェットノズルが、少なくとも噴射開口の領域で二層に形成されている。
【００１１】
本発明の有利な構成によれば、上側の上流側の第１の層に、噴射開口が、半径方向に延びる開口領域を有しており、下側の下流側の第２の層に、噴射開口が、スリット状のそれぞれ１つの流出領域によって特徴付けられており、該流出領域が、上側の開口領域に対してほぼ直角に延びている。
【００１２】
本発明の有利な構成によれば、スリット状の流出領域が、開口領域の幅よりも大きな長さを有している。
【００１３】
本発明の有利な構成によれば、各噴射開口の開口領域と流出領域とが、正確に規定された量で重なっており、マルチファンジェットノズルの中心に対して最も近くに位置する噴射開口が、開口領域と流出領域との最大の重なり量を備えているのに対して、マルチファンジェットノズルの中心から最も遠くに位置する噴射開口が、開口領域と流出領域との最小の重なり量を備えている。
【００１４】
本発明の有利な構成によれば、マルチファンジェットノズルが、ドーム状に湾曲させられたノズル領域を有しており、該ノズル領域に噴射開口が、スリットの形で加工されており、噴射開口が、マルチファンジェットノズルの中心軸線に対してそれぞれ異なる傾きを有している。
【００１５】
本発明の有利な構成によれば、１つの液膜複合体の液膜の方向発散が大きく、これによって、該液膜の間の中間室内に周辺空気が吸込み可能であり、該周辺空気によって、滴への液膜の崩壊が強化されるようになっている。
【００１６】
本発明の有利な構成によれば、マルチファンジェットノズルが、弁座体に固く結合されている。
【発明の効果】
【００１７】
請求項１の特徴部に記載の特徴を備えた本発明による燃料噴射弁は、簡単に燃料の均一な極微細噴霧が達成されるという利点を有している。この場合、極めて小さな流体滴を備えた特に高い処理品質および噴霧品質が得られる。理想的には、マルチファンジェットノズルが、燃料噴射弁の下流側の端部に極めて小さな多数の噴射開口を有している。これらの噴射開口はスリット状に適切に形成されており、これによって、マルチファンジェットノズルから、空間的にずらされた多数のファンジェット（扇形噴流）が流出するようになっている。これらのファンジェットは液膜複合体を形成する。この場合、個々の液膜が互いに拡散して運動させられ、ファンジェットの間の空気吸込みを可能にする。こうして、約２０μｍのザウタ平均粒径（ＳＭＤ）を備えた極めて小さな燃料滴を有する燃料スプレーが噴射可能となる。この限りにおいて、極めて有効に内燃機関のＨＣエミッションを著しく低減することができる。
【００１８】
従属請求項に記載した手段によって、請求項１に記載した燃料噴射弁の有利な構成および改良形が可能となる。
【００１９】
理想的には、マルチファンジェットノズルは、噴射開口の領域で二層に形成されたディスクである。この場合、上側の上流側の第１の層には、噴射開口が、半径方向に延びる開口領域として形成されており、下側の下流側の第２の層には、噴射開口が、スリット状のそれぞれ１つの流出領域によって特徴付けられている。この流出領域は上側の開口領域に対してほぼ直角に延びている。各噴射開口の開口領域と流出領域とは、正確に規定されたサイズで、しかも、マルチファンジェットノズルの中心から出発して半径方向に異なる量で重なっている。スリット状の流出領域は、開口領域の幅よりも大きな長さを有しており、これによって、有効に燃料の扇形拡散ひいては所望のそれぞれ１つのファンジェットが得られる。
【発明を実施するための最良の形態】
【００２０】
以下に、本発明を実施するための最良の形態を図面につき詳しく説明する。
【００２１】
図１には、１つの実施例として、混合気圧縮型の火花点火式の内燃機関の燃料噴射装置に用いられる噴射弁の形の弁が部分的に示してある。この燃料噴射弁は、弁ハウジングの一部を形成する概略的にしか図示していない管状の弁座支持体１を有している。この弁座支持体１には、弁長手方向軸線２に対して同心的に長手方向開口３が形成されている。この長手方向開口３内には、たとえば管状の弁ニードル５が配置されている。この弁ニードル５はその下流側の端部６で、たとえば球形の弁閉鎖体７に固く結合されている。この弁閉鎖体７の周面には、燃料の流過のための、たとえば５つの扁平加工部８が設けられている。
【００２２】
燃料噴射弁の操作は公知の形式で、たとえば電磁式に行われる。しかし、圧電式のまたは磁歪式のアクチュエータによる燃料噴射弁の操作も同じく可能である。弁ニードル５の軸方向の運動ひいては戻しばね（図示せず）のばね力に抗した燃料噴射弁の開放もしくは燃料噴射弁の閉鎖のためには、ソレノイドコイル１０と、プランジャ１１と、コア１２とを備えた概略的に図示した電磁回路が働く。プランジャ１１は、弁ニードル５の、弁閉鎖体７と反対の側の端部に、たとえばレーザにより形成された溶接シームによって結合されていて、コア１２に方向付けられている。
【００２３】
弁座支持体１の、下流側に位置する端部には、弁座体１６が、たとえば溶接によって密に組み付けられている。この弁座体１６の、弁閉鎖体７と反対の下側の端面１７には、本発明によるディスク状のマルチファンジェットノズル２３が噴霧装置として固定されている。弁座体１６とマルチファンジェットノズル２３との結合は、たとえばレーザにより形成された、全周にわたって延びる密な溶接シーム２６によって行われる。この溶接シーム２６は、たとえば弁座体１６の端面１７にまたは弁座体１６とマルチファンジェットノズル２３との外側の周面に設けられている。マルチファンジェットノズル２３の固定は、いずれにせよ、このマルチファンジェットノズル２３の、スリット状の極めて小さな多数の噴射開口２５を備えた中間のノズル領域２８が、不利な変形影響なしのままであるように行われる。
【００２４】
長手方向開口３内の、マルチファンジェットノズル２３を備えた弁座体１６の押込み深さは、弁ニードル５のストロークの量を規定している。なぜならば、ソレノイドコイル１０が励磁されていない場合の弁ニードル５の一方の終端位置が、弁座体１６の、下流側で円錐形に先細りにされた弁座面２９に対する弁閉鎖体７の当付けによって規定されているからである。弁ニードル５の他方の終端位置は、ソレノイドコイル１０が励磁されている場合に、たとえばコア１２に対するプランジャ１１の当付けによって規定される。したがって、弁ニードル５の両終端位置の間の距離がストロークを成している。
【００２５】
弁座体１６には、弁座面２９の下流側に流出開口２７が設けられている。この流出開口２７から、噴射したい燃料がマルチファンジェットノズル２３のノズル領域２８に直接流入する。マルチファンジェットノズル２３は、たとえば扁平に形成されていて、弁座体１６の端面１７に平らに接触している。ノズル領域２８の構成は、特に図２〜図６で明確になる。それぞれ異なる方向付けおよび／または寸法のスリット形状での噴射開口２５の本発明による構成と、ノズル領域２８にわたる噴射開口２５の分配とに基づき、マルチファンジェットノズル２３から薄い液膜３０が流出する。これらの液膜３０は、空間的に見て、液膜複合体を形成している。この場合、個々の液膜３０は互いに発散して運動させられ、図１に概略的にしか示していない。マルチファンジェットノズル２３の中心に対して最も近くに位置する液膜３０が、マルチファンジェットノズル２３の中心軸線、ここでは、相応して、弁長手方向軸線２に対して最小の角度αを有しているのに対して、マルチファンジェットノズル２３の中心から最も遠くに位置する液膜３０は、マルチファンジェットノズル２３の中心軸線もしくは弁長手方向軸線２に対して最大の角度、ここではδを有している。すなわち、α＜β＜γ＜δ等が認められる。
【００２６】
図２には、第１のディスク状のマルチファンジェットノズル２３の部分的な平面図が示してある。少なくとも噴射開口２５の領域では、マルチファンジェットノズル２３が二層に形成されている。上側の上流側の第１の層では、噴射開口２５が、半径方向に延びる開口領域３５を有している。この開口領域３５は、たとえば長方形に形成されている。下側の下流側の第２の層では、噴射開口２５が、それぞれ１つのスリット状の流出領域３６によって特徴付けられている。この流出領域３６は上側の開口領域３５に対してほぼ直角に延びている。各噴射開口２５の開口領域３５と流出領域３６とは、正確に規定されたサイズで、しかも、マルチファンジェットノズル２３の中心から出発して半径方向に異なる量で重なっている。スリット状の流出領域３６は、開口領域３５の幅よりも大きな長さを有しており、これによって、燃料の扇形拡散ひいては所望のそれぞれ１つのファンジェットが有効に得られる。
【００２７】
本発明によれば、個々の噴射開口２５が、それぞれ異なる重なり量に基づき、それぞれ異なる方向に方向付けられている。個々の噴射開口２５は、図２の実施例によれば、真っ直ぐな列で半径方向外向きに延びて配置されている。空間的に見て、液膜複合体（この液膜複合体では、個々の液膜３０が互いに発散して拡開されて噴射される）を形成する液膜３０を発生させるためには、マルチファンジェットノズル２３の中心に対して最も近くに位置する噴射開口２５が、開口領域３５と流出領域３６との最大の重なり量を備えているのに対して、マルチファンジェットノズル２３の中心から最も遠くに位置する噴射開口２５は、開口領域３５と流出領域３６との最小の重なり量を備えている。重なり領域は、流れが通流することができる面交差部である。こうして、一番内側の液膜３０が、マルチファンジェットノズル２３の中心軸線に対して最小の角度αを有しており、半径方向で一番外側の液膜３０が、マルチファンジェットノズル２３の中心軸線に対して最大の角度を有している（α＜β＜γ＜δ等）。孔横断面の、ディスク中心からディスク縁部に向かって連続的に減少する交差部は、ファンジェットの傾倒に繋がる。この傾倒はディスク中心からディスク縁部に向かって増加する。こうして得られた、相応の傾倒を伴ったファンジェットの発散によって、液膜３０が室内で交差させられないことが生ぜしめられる。このことは、さらに、噴射開口２５が方向平行に配置されていることによって助成される。これによって、全ての液膜３０が互いに方向平行に扇形拡散する。
【００２８】
噴射開口２５の２つのジオメトリ層は、図示したように、ただ１つのマルチファンジェットノズル２３で形成されていてもよいし、２つのディスクの重畳によって形成されていてもよい。スリット状の流出領域３６は長方形または長孔としてまたは楕円形にまたは湾曲させられて円弧状に形成することができる。また、開口領域３５の輪郭が、図２に示した長方形と異なっていてもよい。ただし、通流に対する半径方向の方向付けが条件となる。
【００２９】
図３には、マルチファンジェットノズル２３の部分的な平面図が示してある。この構成では、噴射開口２５が真っ直ぐな列で配置されておらず、マルチファンジェットノズル２３に任意に分配されている。ただし、噴射開口２５は、流出するファンジェットが、相互に接触しない、すなわち、互いに空間的にずれを有する液膜複合体を形成するように配置されている。ここでも、マルチファンジェットノズル２３の中心に対して最も近くに位置する噴射開口２５が、開口領域３５と流出領域３６との最大の重なり量を備えているのに対して、マルチファンジェットノズル２３の中心から最も遠くに位置する噴射開口２５は、開口領域３５と流出領域３６との最小の重なり量を備えていることが再び当てはまる。
【００３０】
図４には、図２に示したスリット状の噴射開口２５の部分ＩＶが拡大図で示してあるのに対して、図５には、図４に示したＶ−Ｖ線に沿った噴射開口２５の断面図が示してあり、図６には、図４に示したＶＩ−ＶＩに沿った噴射開口２５の断面図が示してある。図４〜図６には、記入した矢印によって、流れの経過と、ファンジェット形状を有する液膜３０の形成とが示してある。個々の各噴射開口２５の開口領域３５と流出領域３６との重なりの量に応じて、流出するファンジェットの傾倒が規定される。流出領域３６はその長手方向延在長さにおいて開口領域３５に対してほぼ垂直に延びているので、半径方向に流入した流れは、開口領域３５に対して直角に流出領域３６のサイズに相応して扇形拡散することができる。燃料は微細に噴霧されてファンジェットジオメトリで放出される。
【００３１】
マルチファンジェットノズル２３は、たとえば電気めっきによる析出によって形成される（多層電気めっき）。しかし、他方では、マルチファンジェットノズル２３を打抜き・型押し加工技術的、侵食技術的またはエッチング技術的に製作することも可能である。
【００３２】
図７には、第３のマルチファンジェットノズル２３が断面図でかつ概略的に示した液膜３０と共に示してある。マルチファンジェットノズル２３は、中間のノズル領域２８がドーム状に湾曲させられていることによって特徴付けられている。この湾曲部には、スリット状の多数の噴射開口２５が加工されている。ノズル領域２８と、マルチファンジェットノズル２３の中心軸線に対してそれぞれ異なる傾きを備えたスリット形状での噴射開口２５との本発明による構成に基づき、マルチファンジェットノズル２３から、空間的に見て、液膜複合体を形成する液膜３０が流出する。この場合、個々の液膜３０は互いに発散して運動させられる。マルチファンジェットノズル２３の中心に対して最も近くに位置する液膜３０が、マルチファンジェットノズル２３の中心軸線に対して最小の角度αを有しているのに対して、マルチファンジェットノズル２３の中心から最も遠くに位置する液膜３０は、マルチファンジェットノズル２３もしくは弁長手方向軸線２に対して最大の角度、ここではγを有している。すなわち、ここでも、α＜β＜γ＜δ等が認められる。
【００３３】
個々のファンジェットの間の方向発散によって、滴凝集が阻止される。まだファンジェットが最小の滴に崩壊する前に、ファンジェットの方向発散に起因して、周辺空気がファンジェットの間の中間室３７内に吸い込まれる。吸込み作用は、マルチファンジェットノズル２３からの間隔の増加による中間室３７の容積増加と、これにより生じる空気補償流れとによって生ぜしめられる。ファンジェットと、吸い込まれる空気との間の全体的に大きな接触面と、周辺空気との集中的な混加によって、滴へのファンジェットの崩壊後、液滴の集中的な気化が生ぜしめられる。
【００３４】
ファンジェットもしくは薄膜崩壊の噴霧品質は、約２０μｍのザウタ平均粒径（ＳＭＤ）を備えた極端に小さな燃料滴を有する燃料スプレーが噴射可能となるほど高い。こうして、極めて有効に内燃機関のＨＣエミッションを既知の噴射アッセンブリに比べて著しく低減することができる。
【図面の簡単な説明】
【００３５】
【図１】側面図で示したマルチファンジェットノズルの１つの実施例と、概略的に示した液膜とを備えた燃料噴射弁の形の弁を部分的に示す図である。
【図２】第１のマルチファンジェットノズルの部分的な平面図である。
【図３】第２のマルチファンジェットノズルの部分的な平面図である。
【図４】図２に示した部分ＩＶのスリット状の噴射開口の拡大図である。
【図５】図４に示したＶ−Ｖ線に沿った噴射開口の断面図である。
【図６】図４に示したＶＩ−ＶＩ線に沿った噴射開口の断面図である。
【図７】第３のマルチファンジェットノズルの断面図を液膜と共に概略的に示す図である。
【符号の説明】
【００３６】
１  弁座支持体、  ２  弁長手方向軸線、  ３  長手方向開口、  ５  弁ニードル、  ６  端部、  ７  弁閉鎖体、  ８  扁平加工部、  １０  ソレノイドコイル、  １１  プランジャ、  １２  コア、  １６  弁座体、  １７  端面、  ２３  マルチファンジェットノズル、  ２５  噴射開口、  ２６  溶接シーム、  ２７  流出開口、  ２８  ノズル領域、  ２９  弁座面、  ３０  液膜、  ３５  開口領域、  ３６  流出領域、  ３７  中間室
【図１】
2008064095.tif 000003
【図２】
2008064095.tif 000004
【図３】
2008064095.tif 000005
【図４】
2008064095.tif 000006
【図５】
2008064095.tif 000007
【図６】
2008064095.tif 000008
【図７】
2008064095.tif 000009